(57)【要約】【課題】  部品点数が少なく、構造が簡略化され、小型・軽量であって、耐久性に優れた巻取装置を提供すること。【解決手段】  本発明は、上向きの歯４６を有するドラム４を収納する有底円筒状のドラム収納部３３を備えたベース部材３と、前記ドラム４を回転駆動する下向きの歯を有するダイヤル５と、を備え、当該ダイヤル５を移動させることで、前記下向きの歯を前記上向きの歯４６に係合させてダイヤル５の回転を前記ドラム４に伝達できるロック状態と、前記下向きの歯を前記上向きの歯４６から切り離した解除状態とを実現した巻取装置１であって、前記ダイヤル５の周縁部に形成され、当該ダイヤル５の回転軸方向に延びる複数個の山部と谷部とからなる環状ギヤと、前記ドラム収納部３３から突出し、前記環状ギヤと係合する爪３６と、を備え、前記環状ギヤと前記爪３６によって前記ダイヤル５の回転を制御できる巻取装置１である。【選択図】図１
2018023614.tif 000002
【特許請求の範囲】
【請求項１】
上面側に上向きの歯を有し、紐を巻き取るためのドラムと、
当該ドラムを収納する有底円筒状のドラム収納部を備えたベース部材と、
前記ドラムを回転駆動するために、下面側に前記ドラムの上向きの歯と係合する下向きの歯を有するダイヤルと、
を備え、
当該ダイヤルをその回転軸方向に沿って移動させることで、当該ダイヤルの下向きの歯を前記ドラムの上向きの歯に係合させてダイヤルの回転を前記ドラムに伝達できるロック状態と、前記下向きの歯を前記ドラムの上向きの歯から切り離して前記ドラムが自由に回転できる解除状態とを実現するようにした巻取装置であって、
前記ダイヤルの周縁部に形成され、当該ダイヤルの回転軸方向に延びる複数個の山部と谷部とからなる環状ギヤと、
前記ドラム収納部から突出し、前記環状ギヤと係合する爪と、
を備え、
前記環状ギヤと前記爪によって前記ダイヤルの回転を制御することができることを特徴とする巻取装置。
【請求項２】
前記爪は、前記ドラム収納部を構成する円筒状の環状壁と同一円上に配置したバネ部から外側又は内側に向けて突出するように設けられていることを特徴とする請求項１に記載の巻取装置。
【請求項３】
前記爪は、前記ドラム収納部を構成する円筒状の環状壁の下部に配置したバネ部から外側に向けて突出するように設けられていることを特徴とする請求項１に記載の巻取装置。
【請求項４】
前記爪は、前記ドラム収納部を構成する円筒状の環状壁と一体成形されたものであることを特徴とする請求項１〜３の何れか一項に記載の巻取装置。
【請求項５】
前記爪は、前記ドラム収納部を構成する円筒状の環状壁を切り欠くことで形成したバネ部から外側に向けて突出するように設けられており、当該バネ部が前記ドラム収納部の内側に弾性変形することで、前記ダイヤルの周縁部において円筒状に形成された前記環状ギヤの山部を乗り越え前記ダイヤルの回転を許容するようになっていることを特徴とする請求項１〜４の何れか一項に記載の巻取装置。
【請求項６】
前記爪は、前記ドラム収納部を構成する円筒状の環状壁を切り欠くことで形成したバネ部から内側に向けて突出するように設けられており、当該バネ部が前記ドラム収納部の外側に弾性変形することで、前記ダイヤルの周縁部において円柱状に形成された前記環状ギヤの山部を乗り越え前記ダイヤルの回転を許容するようになっていることを特徴とする請求項１、２、４の何れか一項に記載の巻取装置。
【請求項７】
円筒状の前記環状壁に形成される切り欠きは、外側ほど拡開しており、内側におけるバネ部との隙間は極僅かであることを特徴とする請求項５又は６に記載の巻取装置。
【請求項８】
上面側に上向きの歯を有し、紐を巻き取るためのドラムと、
当該ドラムを収納する有底円筒状のドラム収納部を備えたベース部材と、
前記ドラムを回転駆動するために、下面側に前記ドラムの上向きの歯と係合する下向きの歯を有するダイヤルと、
を備え、
当該ダイヤルをその回転軸方向に沿って移動させることで、当該ダイヤルの下向きの歯を前記ドラムの上向きの歯に係合させてダイヤルの回転を前記ドラムに伝達できるロック状態と、前記下向きの歯を前記ドラムの上向きの歯から切り離して前記ドラムが自由に回転できる解除状態とを実現するようにした巻取装置であって、
前記ダイヤルの周縁部に形成され、当該ダイヤルの回転軸方向に延びる複数個の山部と谷部とからなる環状ギヤと、
前記ドラム収納部の外側のベース部材から突出し、前記環状ギヤと係合する爪と、
を備え、
前記環状ギヤと前記爪によって前記ダイヤルの回転を制御することができることを特徴とする巻取装置。
【請求項９】
前記ダイヤルは、前記下向きの歯と前記環状ギヤとを一体成形にて備えており、かつ、当該ダイヤルをその回転を前記ドラムに伝達できるロック位置と、前記ドラムが自由に回転できる解除位置との間で切り替えるためのバネ及び当該バネを保持する軸部材を収納できるようになっていることを特徴とする請求項１〜８の何れか一項に記載の巻取装置。
【請求項１０】
上面側に上向きの歯を有し、紐を巻き取るためのドラムと、
当該ドラムを収納する有底円筒状のドラム収納部を備えたベース部材と、
前記ドラムを回転駆動するために、下面側に前記ドラムの上向きの歯と係合する下向きの歯を有するダイヤルと、
を備え、
当該ダイヤルをその回転軸方向に沿って移動させることで、当該ダイヤルの下向きの歯を前記ドラムの上向きの歯に係合させてダイヤルの回転を前記ドラムに伝達できるロック状態と、前記下向きの歯を前記ドラムの上向きの歯から切り離して前記ドラムが自由に回転できる解除状態とを実現するようにした巻取装置であって、
前記ダイヤルの周縁部に形成され、当該ダイヤルの回転軸方向に延びる複数個の山部と谷部とからなる環状ギヤと、
前記ドラム収納部を構成する環状壁と同一中心円上に配置した、前記環状ギヤと係合する爪と、
を備え、
前記環状ギヤと前記爪によって前記ダイヤルの回転を制御することができることを特徴とする巻取装置。
【請求項１１】
前記爪は、前記ドラム収納部を構成する環状壁と同一中心円上に配置した環状部に設けられているものであることを特徴とする請求項１０に記載の巻取装置。
【請求項１２】
前記爪は、前記環状部に設けたバネ部から外側又は内側に向けて突出するように設けられていることを特徴とする請求項１１に記載の巻取装置。
【発明の詳細な説明】
【技術分野】
【０００１】
本発明は、巻取装置に関するものであって、ゴルフやジョギングなどに使用する運動靴の他、各種の靴の靴紐を締め付けたり、鞄を閉じる紐を締め付けたり、帽子の紐を締め付けるのに適した巻取装置に関するものである。
【背景技術】
【０００２】
従来、靴の靴紐を締め付けるのに適した巻取装置として、ダイヤル（円盤状のつまみ）を回転することによってドラムに対して靴紐を巻き付けることができ、ダイヤルを引くことで、ダイヤルとドラムとの係合状態を解除して靴紐の締め付けをワンタッチで解除することができる靴紐巻取装置が提案されている（特許文献１〜８）。
【０００３】
これら従来の巻取装置においては、（１）ドラムを回転させたり、ダイヤルとドラムとの係合状態を変更するためのダイヤルの構造が複雑になる、（２）ドラムを回転させたり、ダイヤルとドラムとの係合状態を変更するための構造を具体化するために複数の部品を組み付ける必要が生じる、（３）ダイヤルの回転を制御するためのラチェット機構を構成する爪及び爪の位置を変移させるバネの構造が複雑となる、（４）ダイヤルの回転を制御するためのラチェット機構を構成する爪及び爪の位置を変移させるバネの構造を具体化するために複数の部品を組み付ける必要が生じる、（５）ダイヤルの内側面に放射状に延びる山部と谷部からなるギヤを形成するとハンドルが大型化するといった問題がある。
【０００４】
上記のような巻取装置においては、装置の小型化の妨げとなる、製造コストが上がる、部品の強度が低下し製品の信頼性や用途が限定される、組み付けやメンテナンスに手間がかかる、というような問題がある。
【先行技術文献】
【特許文献】
【０００５】
【特許文献１】特開２０１５−２９３号公報
【特許文献２】特開２０１５−２９７号公報
【特許文献３】特開２０１０−１４８９２７号公報
【特許文献４】特開２０１６−３６６７９号公報
【特許文献５】特表２０１３−５２５００７号公報
【特許文献６】国際公開特許  ＷＯ２０１１／１３７４０５号公報
【特許文献７】特許第５９２５７６５号公報
【特許文献８】実用新案登録第３１５９６２０号公報
【発明の概要】
【発明が解決しようとする課題】
【０００６】
本発明が解決しようとする課題は、上記において説明した（１）ドラムを回転させたり、ダイヤルとドラムとの係合状態を変更するためのダイヤルの構造が複雑になる、（２）ドラムを回転させたり、ダイヤルとドラムとの係合状態を変更するための構造を具体化するために複数の部品を組み付ける必要が生じる、（３）ダイヤルの回転を制御するためのラチェット機構を構成する爪及び爪の位置を変移させるバネの構造が複雑となる、（４）ダイヤルの回転を制御するためのラチェット機構を構成する爪及び爪の位置を変移させるバネの構造を具体化するために複数の部品を組み付ける必要が生じる、（５）ダイヤルの内側面に放射状に延びる山部と谷部からなるギヤを形成するとハンドルが大型化するといった問題を解決することである。
【０００７】
そして、本発明の目的は、上記問題を解決し、巻取装置の部品点数を減少させることなどによって構造を簡略化するとともに、製造のコストダウン、製品の小型・軽量化を図ることができ、さらには強度、耐久性及び信頼性を高め、組み付けやメンテナンスの手間を軽減することができる巻取装置を提供することにある。
【課題を解決するための手段】
【０００８】
（１）本発明は、「上面側に上向きの歯を有し、紐を巻き取るためのドラムと、当該ドラムを収納する有底円筒状のドラム収納部を備えたベース部材と、前記ドラムを回転駆動するために、下面側に前記ドラムの上向きの歯と係合する下向きの歯を有するダイヤルと、を備え、
当該ダイヤルをその回転軸方向に沿って移動させることで、当該ダイヤルの下向きの歯を前記ドラムの上向きの歯に係合させてダイヤルの回転を前記ドラムに伝達できるロック状態と、前記下向きの歯を前記ドラムの上向きの歯から切り離して前記ドラムが自由に回転できる解除状態とを実現するようにした巻取装置であって、
前記ダイヤルの周縁部に形成され、当該ダイヤルの回転軸方向に延びる複数個の山部と谷部とからなる環状ギヤと、前記ドラム収納部から突出し、前記環状ギヤと係合する爪と、を備え、
前記環状ギヤと前記爪によって前記ダイヤルの回転を制御することができることを特徴とする巻取装置」を最も主要な特徴とするものである。
【０００９】
（２）本発明の巻取装置において、前記爪は、前記ドラム収納部を構成する円筒状の環状壁と同一円上に配置したバネ部から外側又は内側に向けて突出するように設けられているものであってもよい。
（３）本発明の巻取装置において、前記爪は、前記ドラム収納部を構成する円筒状の環状壁の下部に配置したバネ部から外側に向けて突出するように設けられているものであってもよい。
（４）本発明の巻取装置において、前記爪は、前記ドラム収納部を構成する円筒状の環状壁と一体成形されたものであってもよい。
【００１０】
（５）本発明の巻取装置において、前記爪は、前記ドラム収納部を構成する円筒状の環状壁を切り欠くことで形成したバネ部から外側に向けて突出するように設けられており、当該バネ部が前記ドラム収納部の内側に弾性変形することで、前記ダイヤルの周縁部において円筒状に形成された前記環状ギヤの山部を乗り越え前記ダイヤルの回転を許容するようになっているものであってもよい。
【００１１】
（６）本発明の巻取装置において、前記爪は、前記ドラム収納部を構成する円筒状の環状壁を切り欠くことで形成したバネ部から内側に向けて突出するように設けられており、当該バネ部が前記ドラム収納部の外側に弾性変形することで、前記ダイヤルの周縁部において円柱状に形成された前記環状ギヤの山部を乗り越え前記ダイヤルの回転を許容するようになっているものであってもよい。
（７）本発明の巻取装置において、円筒状の前記環状壁に形成される切り欠きは、外側ほど拡開しており、内側におけるバネ部との隙間は極僅かであるものであってもよい。
【００１２】
（８）また、本発明は、上面側に上向きの歯を有し、紐を巻き取るためのドラムと、当該ドラムを収納する有底円筒状のドラム収納部を備えたベース部材と、前記ドラムを回転駆動するために、下面側に前記ドラムの上向きの歯と係合する下向きの歯を有するダイヤルと、を備え、
当該ダイヤルをその回転軸方向に沿って移動させることで、当該ダイヤルの下向きの歯を前記ドラムの上向きの歯に係合させてダイヤルの回転を前記ドラムに伝達できるロック状態と、前記下向きの歯を前記ドラムの上向きの歯から切り離して前記ドラムが自由に回転できる解除状態とを実現するようにした巻取装置であって、
前記ダイヤルの周縁部に形成され、当該ダイヤルの回転軸方向に延びる複数個の山部と谷部とからなる環状ギヤと、前記ドラム収納部の外側のベース部材から突出し、前記環状ギヤと係合する爪と、を備え、
前記環状ギヤと前記爪によって前記ダイヤルの回転を制御することができる巻取装置である。
【００１３】
（９）本発明の巻取装置において、前記ダイヤルは、前記下向きの歯と前記環状ギヤとを一体成形にて備えており、かつ、当該ダイヤルをその回転を前記ドラムに伝達できるロック位置と、前記ドラムが自由に回転できる解除位置との間で切り替えるためのバネ及び当該バネを保持する軸部材を収納できるようになっているものであってもよい。
【００１４】
（１０）さらに、本発明は、上面側に上向きの歯を有し、紐を巻き取るためのドラムと、当該ドラムを収納する有底円筒状のドラム収納部を備えたベース部材と、前記ドラムを回転駆動するために、下面側に前記ドラムの上向きの歯と係合する下向きの歯を有するダイヤルと、を備え、
当該ダイヤルをその回転軸方向に沿って移動させることで、当該ダイヤルの下向きの歯を前記ドラムの上向きの歯に係合させてダイヤルの回転を前記ドラムに伝達できるロック状態と、前記下向きの歯を前記ドラムの上向きの歯から切り離して前記ドラムが自由に回転できる解除状態とを実現するようにした巻取装置であって、
前記ダイヤルの周縁部に形成され、当該ダイヤルの回転軸方向に延びる複数個の山部と谷部とからなる環状ギヤと、前記ドラム収納部を構成する環状壁と同一中心円上に配置した、前記環状ギヤと係合する爪と、を備え、
前記環状ギヤと前記爪によって前記ダイヤルの回転を制御することができる巻取装置である。
【００１５】
（１１）本発明の巻取装置において、前記爪は、前記ドラム収納部を構成する環状壁と同一中心円上に配置した環状部に設けられているものであってもよい。
（１２）さらに、本発明の巻取装置において、前記爪は、前記環状部に設けたバネ部から外側又は内側に向けて突出するように設けられているものであってもよい。
【発明の効果】
【００１６】
（１）上記のように構成した本発明の巻取装置においては、環状ギヤを形成した簡潔構造のダイヤルと、爪を形成したドラム収納部によってダイヤルの回転を制御することができる。
従って、巻取装置の部品点数を減少させ構造を簡略化するとともに、小型・軽量化を図ることができ、さらには強度、耐久性及び信頼性を高め、組み付けやメンテナンスの手間を軽減することができる巻取装置を提供することができる。
【００１７】
（２）本発明の巻取装置において、前記爪が、前記ドラム収納部を構成する円筒状の環状壁と同一円上に配置したバネ部から外側又は内側に向けて突出するように設けられていることで、構造を簡略化できるとともに、装置を小型化することができる。
（３）本発明の巻取装置において、前記爪が、前記ドラム収納部を構成する円筒状の環状壁の下部に配置したバネ部から外側に向けて突出するように設けられていることで、巻取装置の厚みを低減して装置を小型化したり、バネ部の保護を図ることができる。
【００１８】
（４）本発明の巻取装置において、前記爪が、前記ドラム収納部を構成する円筒状の環状壁と一体成形されたものとすることで、装置の強度を高めるとともに装置の構造を簡略化することができ、組み付けやメンテナンスの手間を著しく軽減することができる。
（５）本発明の巻取装置において、前記爪が、前記ドラム収納部を構成する円筒状の環状壁を切り欠くことで形成したバネ部から外側に向けて突出するように設けられており、当該バネ部が前記ドラム収納部の内側に弾性変形することで、前記ダイヤルの周縁部において円筒状に形成された前記環状ギヤの山部を乗り越え前記ダイヤルの回転を許容するようにすることで、ダイヤルの回転を制御するための爪及び爪の位置を変移させるバネの構造を簡単かつ強度に優れたものとすることができる。
【００１９】
（６）本発明の巻取装置において、前記爪が、前記ドラム収納部を構成する円筒状の環状壁を切り欠くことで形成したバネ部から内側に向けて突出するように設けられており、当該バネ部が前記ドラム収納部の外側に弾性変形することで、前記ダイヤルの周縁部において円柱状に形成された前記環状ギヤの山部を乗り越え前記ダイヤルの回転を許容するようにすることで、ダイヤルの回転を制御するための爪及び爪の位置を変移させるバネの構造を簡単かつ強度に優れたものとすることができる。
【００２０】
（７）本発明の巻取装置において、円筒状の前記環状壁に形成される切り欠きが、外側ほど拡開しており、内側におけるバネ部との隙間が極僅かであるようにすることで、型抜きを容易とすることができるとともに、装置内部にゴミなどが入り込むことを防ぎ、装置の信頼性を高めることができる。
さらに、外側ほど拡開する切り欠きを備えた環状壁を成形するための金型が、その拡開している切り欠き部分において太くなるため、金型の強度を高め、型抜きの際や取扱の際に金型が損傷することを防止することができる。
【００２１】
（８）本発明の巻取装置において、ドラム収納部の外側のベース部材から突出し、前記環状ギヤと係合する爪を備えたものとすることで、ドラム収納部の構造を簡略化し、その強度を高めることができ、また、ドラム収納部内にゴミが入り込むことを防いで装置の信頼性を高めることができる。
【００２２】
（９）本発明の巻取装置において、前記ダイヤルが、前記下向きの歯と前記環状ギヤとを一体成形にて備えており、かつ、当該ダイヤルをその回転を前記ドラムに伝達できるロック位置と、前記ドラムが自由に回転できる解除位置との間で切り替えるためのバネ及び当該バネを保持する軸部材を収納できるようになっているものとすることで、耐久性と操作性に優れたものとすることができる。
【００２３】
（１０）本発明の巻取装置において、前記ドラム収納部を構成する環状壁と同一中心円上に配置した、前記環状ギヤと係合する爪を備えたものとすることで、構造を簡略化するとともに、強度、耐久性及び信頼性を高めることができる。
（１１）本発明の巻取装置において、前記爪が、前記ドラム収納部を構成する環状壁と同一中心円上に配置した環状部に設けられているものとすることで、強度、耐久性及び信頼性を高めることができる。
（１２）本発明の巻取装置において、前記爪が、前記環状部に設けたバネ部から外側又は内側に向けて突出するように設けられているものとすることで、メンテナンスの手間を軽減することができる。
【図面の簡単な説明】
【００２４】
【図１】図１は本発明を具体化した実施形態１の靴紐巻取装置の分解斜視図である。
【図２】図２は本発明を具体化した実施形態１の靴紐巻取装置を示し、（Ａ）は斜視図、（Ｂ）は平面図である。
【図３】図３は本発明を具体化した実施形態１の靴紐巻取装置を取り付けた靴を示す側面図である。
【図４】図４（Ａ）及び（Ｂ）は本発明を具体化した実施形態１の靴紐巻取装置のロック状態を示し、（Ａ）は図２（Ｂ）に示すＸ−Ｘ線断面図、（Ｂ）は正面図、（Ｃ）は爪付近の環状壁を示す部分拡大断面図である。
【図５】図５（Ａ）及び（Ｂ）は本発明を具体化した実施形態１の靴紐巻取装置の解除状態を示し、（Ａ）は図２（Ｂ）に示すＸ−Ｘ線断面図、（Ｂ）は正面図である。
【図６】図６（Ａ）〜（Ｄ）は本発明を具体化した実施形態１の靴紐巻取装置のベース部材を示し、（Ａ）は斜視図、（Ｂ）は平面図、（Ｃ）は側面図、（Ｄ）は正面図である。
【図７】図７（Ａ）〜（Ｅ）は本発明を具体化した実施形態１の靴紐巻取装置に使用できるドラムを示し、（Ａ）は上向きの歯を示す斜視図、（Ｂ）は係止突起を示す斜視図、（Ｃ）は平面図、（Ｄ）は側面図、（Ｅ）は底面図である。
【図８】図８（Ａ）〜（Ｄ）は本発明を具体化した実施形態１の靴紐巻取装置のダイヤルを示し、（Ａ）は底面図、（Ｂ）は下向きの歯を示す斜視図、（Ｃ）は平面図、（Ｄ）は平面側を示す斜視図である。
【図９】図９（Ａ）及び（Ｂ）は本発明を具体化した実施形態１の靴紐巻取装置の軸部材を示し、（Ａ）は側面図、（Ｂ）は底面図である。
【図１０】図１０は本発明を具体化した実施形態１の靴紐巻取装置のカバー部材の底面側を示す斜視図である。
【図１１】図１１は本発明を具体化した実施形態２の靴紐巻取装置の分解斜視図である。
【図１２】図１２（Ａ）及び（Ｂ）は本発明を具体化した実施形態２の靴紐巻取装置を示し、（Ａ）は斜視図、（Ｂ）は平面図である。
【図１３】図１３は本発明を具体化した実施形態２の靴紐巻取装置を取り付けた靴の踵部分を示す斜視図である。
【図１４】図１４（Ａ）及び（Ｂ）は本発明を具体化した実施形態２の靴紐巻取装置のロック状態を示し、（Ａ）は図１２（Ｂ）に示すＹ−Ｙ線断面図、（Ｂ）は正面図である。
【図１５】図１５（Ａ）及び（Ｂ）は本発明を具体化した実施形態２の靴紐巻取装置の解除状態を示し、（Ａ）は図１２（Ｂ）に示すＹ−Ｙ線断面図、（Ｂ）は正面図である。
【図１６】図１６（Ａ）〜（Ｃ）は本発明を具体化した実施形態２の靴紐巻取装置のベース部材を示し、（Ａ）は斜視図、（Ｂ）は平面図、（Ｃ）は側面図である。
【図１７】図１７（Ａ）〜（Ｄ）は本発明を具体化した実施形態２の靴紐巻取装置のドラム収納部を示し、（Ａ）は斜視図、（Ｂ）は平面図、（Ｃ）は側面図、（Ｄ）は正面図である。
【図１８】図１８（Ａ）〜（Ｃ）は本発明を具体化した実施形態３の靴紐巻取装置のベース部材を示し、（Ａ）は斜視図、（Ｂ）は平面図、（Ｃ）は正面図である。
【図１９】図１９（Ａ）〜（Ｃ）は本発明を具体化した実施形態４の靴紐巻取装置のベース部材を示し、（Ａ）は斜視図、（Ｂ）は平面図、（Ｃ）は正面図である。
【図２０】図２０（Ａ）〜（Ｃ）は本発明を具体化した実施形態４の靴紐巻取装置のダイヤルを示し、（Ａ）は斜視図、（Ｂ）は底面図、（Ｃ）は平面図である。
【図２１】図２１（Ａ）〜（Ｃ）は本発明を具体化した実施形態５の靴紐巻取装置のベース部材を示し、（Ａ）は斜視図、（Ｂ）は平面図、（Ｃ）は正面図である。
【図２２】図２２（Ａ）〜（Ｃ）は本発明を具体化した実施形態６の靴紐巻取装置のベース部材を示し、（Ａ）は斜視図、（Ｂ）は平面図、（Ｃ）は正面図である。
【図２３】図２３（Ａ）〜（Ｃ）は本発明を具体化した実施形態７の靴紐巻取装置のベース部材を示し、（Ａ）は斜視図、（Ｂ）は平面図、（Ｃ）は正面図である。
【図２４】図２４（Ａ）〜（Ｃ）は本発明を具体化した実施形態８の靴紐巻取装置のベース部材を示し、（Ａ）は斜視図、（Ｂ）は平面図、（Ｃ）は正面図である。
【図２５】図２５（Ａ）〜（Ｃ）は本発明を具体化した実施形態９の靴紐巻取装置のベース部材を示し、（Ａ）は斜視図、（Ｂ）は平面図、（Ｃ）は正面図である。
【図２６】図２６（Ａ）〜（Ｃ）は本発明を具体化した実施形態１０の靴紐巻取装置のベース部材を示し、（Ａ）は斜視図、（Ｂ）は平面図、（Ｃ）は正面図である。
【図２７】図２７は本発明を具体化した実施形態１０の靴紐巻取装置のベース部材と環状部を示す正面側の斜視図である。
【図２８】図２８（Ａ）〜（Ｃ）は本発明を具体化した実施形態１１の靴紐巻取装置のベース部材を示し、（Ａ）は斜視図、（Ｂ）は平面図、（Ｃ）は正面図である。
【図２９】図２９は本発明を具体化した実施形態１１の靴紐巻取装置のベース部材と環状部を示す正面側の斜視図である。
【発明を実施するための形態】
【００２５】
本発明は、「上面側に上向きの歯を有し、紐を巻き取るためのドラムと、当該ドラムを収納する有底円筒状のドラム収納部を備えたベース部材と、前記ドラムを回転駆動するために、下面側に前記ドラムの上向きの歯と係合する下向きの歯を有するダイヤルと、を備え、当該ダイヤルをその回転軸方向に沿って移動させることで、当該ダイヤルの下向きの歯を前記ドラムの上向きの歯に係合させてダイヤルの回転を前記ドラムに伝達できるロック状態と、前記下向きの歯を前記ドラムの上向きの歯から切り離して前記ドラムが自由に回転できる解除状態とを実現するようにした巻取装置であって、前記ダイヤルの周縁部に形成され、当該ダイヤルの回転軸方向に延びる複数個の山部と谷部とからなる環状ギヤと、前記ドラム収納部から突出し、前記環状ギヤと係合する爪と、を備え、前記環状ギヤと前記爪によって前記ダイヤルの回転を制御することができることを特徴とする巻取装置」であって、以下において説明する実施形態などにより好適に具体化することができる。
【００２６】
以下、本発明の巻取装置を運動靴の靴紐を巻き取るための巻取装置について具体化した一実施形態（実施形態１：図１〜図１０）について説明する。
なお、本発明の巻取装置の各実施形態の内部の構成およびその作用効果については、上記の特許文献である特願２０１３−１２７５７４（特開２０１５−２９３）、特願２０１３−１２７６１２（特開２０１５−２９７）、特願２０１４−１６３８６７（特開２０１６−３６６７９）において既に本件出願人によって部分的に開示されている。
図３は、本発明の一実施形態の靴紐巻取装置１と、当該靴紐巻取装置１を足首と対応する位置に装備した靴Ｓを示し、この靴Ｓは、樹脂被覆された金属製のワイヤーなどからなる靴紐２によって靴Ｓの甲部を締め付けることができるようになっている。
【００２７】
靴紐巻取装置１は、ベース部材３と、前記靴紐２を巻き取るためのドラム４と、当該ドラム４を回転駆動するための略円盤状のダイヤル５と、当該ダイヤル５を前記ベース部材３に装着するために前記ベース部材３に対して回転自在に固定される軸部材６と、当該軸部材６にて一端部が軸支されたバネ部材７などから構成されている。
ここで、前記靴紐２としては、直径０．１１〜０．１３ｍｍのステンレス製の素線を複数本撚り合わせたワイヤーロープにスウェージングマシンにて加工を加え、ナイロン樹脂にて被覆したワイヤー状の靴紐、又は、ナイロン樹脂などからなる樹脂製の靴紐を用途に応じて好適に用いることができる。
【００２８】
前記ベース部材３は、薄板状のフランジ３１が、前記ドラム４を回転可能に収納するために円筒状に形成された環状壁３２からなるドラム収納部３３の周囲に突出するように形成されることで全体が一体成形されており、当該フランジ３１が、前記靴Ｓに縫い付け固定されることで靴紐巻取装置１を靴Ｓに固定することができるようになっている。
前記ドラム収納部３３は、その底部中央に前記ドラム４を軸支するための回転軸３４が突設されている。
また、前記ドラム収納部３３の底部には、靴紐引出口３５が２箇所形成されている。
【００２９】
前記環状壁３２の上端部には、当該環状壁３２から外側に向けて突出する３個の爪３６が等間隔にて形成されており、当該各爪３６は、前記環状壁３２を部分的に切り欠くことで弧状に湾曲した細長い棒状のバネ部３６ａの先端部に配置されている。
即ち、前記バネ部３６ａ及び爪３６は、ベース部材３及び環状壁３２と一体成形されており、かつ、前記バネ部３６ａは、環状壁３２と同一円上にてコンパクトに配置されている。
そして、前記爪３６は、前記バネ部３６ａが弾性変形することで、前記ドラム収納部３３の内側に向けて動くことができるようになっている。
さらに、前記バネ部３６ａを設けるために前記環状壁３２に形成される切り欠きは、外側ほど拡開しており、内側におけるバネ部３６ａとの隙間が極僅かであるようにすることで、型抜きを容易とすることができるとともに、装置内部にゴミなどが入り込むことを防ぎ、装置の信頼性を高めることができるようになっている（図４（Ｃ）参照）。
また、外側ほど拡開する切り欠きを備えた環状壁３２を成形するための金型が、その拡開している切り欠き部分において太くなるため、金型の強度を高め、型抜きの際や取扱の際に金型が損傷することを防止することができる。
なお、バネ部３６ａは短く形成することで強度を高めることができ、ダイヤル５を強く操作することによって折れたり損傷することを避けることができる。
【００３０】
前記ドラム４は、靴紐２を巻き取るための靴紐巻取部４１と、当該靴紐巻取部４１の内側に配置された回転軸部４２を有している。そして、当該ドラム４の上下両面には、前記靴紐巻取部４１と前記回転軸部４２との間に形成された凹部４３が形成されている。
前記回転軸部４２には、前記ベース部材３の前記回転軸３４が挿入され、前記ドラム収納部３３内にて前記ドラム４が回転可能となっている。
前記ドラム４の下側に形成された前記凹部４３は、前記ドラム収納部３３の内底部に面しており、２個の係止突起４４を当該凹部４３内に備えている。
そして、前記靴紐巻取部４１に形成した複数個のワイヤー挿通孔４５から前記凹部４３内に導入される靴紐２の先端部を前記係止突起４４を利用して挟み込んで、当該凹部４３内に保持できるようになっている。
【００３１】
前記ドラム４の上側の凹部４３には、前記靴紐巻取部４１の内周面に沿って複数の上向きの歯４６が形成されており、前記ダイヤル５の下面部に形成された下向きの歯５１と噛合することで、前記ダイヤル５の回転を前記ドラム４に伝達できるようになっている。
【００３２】
前記ダイヤル５は、その中央部に軸穴５２を有しており、その軸穴５２の周囲に前記下向きの歯５１が環状に配置されて形成されている。
さらに、前記ダイヤル５は、その周縁部の内側面において、当該ダイヤル５の回転軸方向に延びる複数個の山部と谷部とからなる円筒状に配置された環状ギヤ５３を備えている。
この環状ギヤ５３の谷部と前記爪３６は噛み合うように配置されており、ダイヤル５を回転させると、前記爪３６が環状ギヤの山部を乗り越えることによって、ダイヤル５の回転を一方向にのみ可能となるように制御することができるようになっている。
【００３３】
即ち、前記環状ギヤ５３と前記爪３６は、ラチェット機構を構成し、前記靴紐２を巻き付けて締め付ける方向にのみ前記環状ギヤ５３（ダイヤル５）が回転できるように、前記環状ギヤ５３の山部の断面は、「のこぎり歯」状に形成されている。
さらに、前記ダイヤル５は、その回転軸方向に沿って移動可能となっており、前記上向きの歯４６と前記下向きの歯５１とが噛合して前記ダイヤル５の回転を前記ドラム４に伝達できるロック状態と、前記上向きの歯４６と前記下向きの歯５１とが離れて前記ドラム４が自由に回転できるように前記ダイヤル５から前記ドラム４を切り離した解除状態とを実現することができるようになっている。
【００３４】
前記軸部材６は、前記ダイヤル５を前記ベース部材３に対して回転自在に装着するために、ネジ８によって前記ベース部材３に固定されるものであって、前記ダイヤル５を前記ドラム４に接近させたロック位置と当該ドラム４から離した解除位置との間で移動可能な状態で保持し案内することができるようになっている。
【００３５】
前記軸部材６は、円柱状に形成されており、その軸心方向と直交する方向にて当該軸部材６の上端部付近において、向き合った側部を切り欠いて形成した軸受部６１に対し、バネ部材７に形成した直線状の一端部（軸部７１）が挿入されることで、当該バネ部材７を回動可能に軸支するようになっている。即ち、前記バネ部材７は、前記軸部材６の約１８０度離間した位置に各１個配置されている。
【００３６】
前記バネ部材７は、前記ダイヤル５の前記軸穴５２と隣接して形成されたバネ収納部５４に配置されるものであって、全体が略Ｕ字形に湾曲形成されており、湾曲した他端部７２が、前記バネ収納部５４に設けた係止部５５に常時当接するようになっている。
そして、前記ダイヤル５がロック位置から解除位置まで移動することで、前記ドラム４をロック状態から解除状態に切替可能としている。
【００３７】
さらに、当該ロック位置と解除位置との間の位置に前記バネ部材７の他端部７２が最も強く軸部材６側に圧縮される反転位置が存在するように設定されている。
前記ダイヤル５の上側には、円盤状のカバー部材９が嵌合し、靴紐巻取装置１の内部を保護し、ゴミなどが入り込まないようになっている。
【００３８】
なお、カバー部材９の中央部には透孔９ａが形成されており、この透孔９ａを介してカバー部材９の内側（下側）のネジ８を操作してベース部材３からドラム４、ダイヤル５、軸部材６を取り外せるようになっている。
【００３９】
次に、上記にて説明した靴紐巻取装置１の各部品を組み付けて製造する方法について説明する。
まず、靴紐巻取装置１のベース部材３にドラム４を装着するため、２ヶ所の靴紐引出口３５にそれぞれ靴紐２の先端を挿入し、ドラム収納部３３側からその靴紐２の両端部を引き出す。
そして、ドラム４に６ヶ所設けたワイヤー挿通孔４５に靴紐２の先端を縫うようにして順次挿通することで、靴紐２の両端をドラム４に固定した後、ドラム４をドラム収納部３３内に配置する。
【００４０】
次に、ダイヤル５に軸部材６及びバネ部材７を組み付ける。
ここで、軸部材６の上端部に突出形成したフランジ部６２がダイヤル５の軸穴５２の周囲に当接するため、ダイヤル５が軸部材６から外れることはない。
上記手順にてダイヤル５、軸部材６及びバネ部材７を組み付けた後、ネジ８を軸部材６の軸心に沿って透設したネジ挿入孔６３に挿通し、軸部材６などをベース部材３に装着する。
最後にカバー部材９をダイヤル５に嵌め込むことで、靴紐巻取装置１を組み付けることができる。
メンテナンス又は修理のために靴紐巻取装置１を分解する際には、カバー部材９の透孔９ａからネジ回しを挿入し、ネジ８を外すことで、組み付けられたダイヤル５、軸部材６及びバネ部材７をベース部材３から取り外すことができる。
【００４１】
なお、本実施形態の靴紐巻取装置１において各部材を構成する材料としては、強度、耐久性、弾力性などを考慮し、一例として以下のものを用いたが、これらの材料に限定されるものではない。
ベース部材３・・・ナイロン
ドラム４、軸部材６・・・ＰＯＭ（ポリアセタール）
ダイヤル５・・・ナイロンとその周囲にＴＰＥ（熱可塑性エラストマー）
バネ部材７・・・ステンレス鋼
ネジ８・・・炭素鋼
カバー部材９・・・ＡＢＳ樹脂
【００４２】
上記のように構成された靴紐巻取装置１の使用方法について説明する。
靴Ｓを履いた後に、靴紐２を締め付けるには、図４（Ａ）及び図４（Ｂ）に示す靴紐巻取装置１のダイヤル５を前記ベース部材３に接近させたロック位置にてダイヤル５を回転操作し、靴紐２をドラム４に巻き付ける。
この場合、ダイヤル５の環状ギヤ５３の山部が爪３６に当接することで、靴紐２が緩む方向にドラム４が回転することはない。
【００４３】
また、ロック位置と解除位置の間の位置に前記バネ部材７が最も圧縮される反転位置を設定してあるため、ダイヤル５がロック位置にある状態では、バネ部材７がダイヤル５を下方へ付勢しており、ダイヤル５をロック位置に保持する。
【００４４】
次に、靴紐２の締め付けを緩めるには、靴紐巻取装置１のダイヤル５を上側へ引く。
この時、バネ部材７は圧縮され、その反発力に抗してさらに上側にダイヤル５を引くことで、前記バネ部材７が最も圧縮される反転位置を越え、当該ロック位置と解除位置との間でバネ部材７が圧縮される方向が切り替わることにより、ダイヤル５をベース部材３から離した解除位置に移動させる（図５に示す状態）。
【００４５】
前記バネ部材７の他端部７２は、前記ダイヤル５の内面に設けた係止部５５（バネ収納部５４の内面）と常時当接しており、部品の摩耗を防ぐことができる。
また、バネ部材７がロック位置と解除位置との間で明確に切り替わるため、操作性に優れるばかりか、前記ダイヤル５の位置の状態を把握することも容易である。
上記のように前記ダイヤル５がロック位置から解除位置に移動すると、ドラム４の上向きの歯４６とダイヤル５の下向きの歯５１との噛合がスムーズに解除され、ドラム４が自由に回転できるようになり、靴紐２が緩められる。
【００４６】
逆に、前記ダイヤル５を解除位置からロック位置に移動させるように下方へ押さえ付けると、前記バネ部材７が最も圧縮される反転位置を逆向きに越え、ドラム４の上向きの歯４６とダイヤル５の下向きの歯５１とが再び噛合することとなるため、ドラム４に靴紐２を巻き取って靴紐２を締め付けることが可能となる。
【００４７】
なお、本明細書中において、「ダイヤル」とは、ドラム４を回転駆動するための操作部として機能するものであれば特に形状が限定されるものではなく、多角形状のものであってもよい。
但し、その裏面側には、環状ギヤ５３を形成する必要がある。
【００４８】
本発明の巻取装置は、バネ部材７が反転位置を越えることが無いように構成し、バネ部材７によってダイヤル５を常時ロック状態に付勢するようにして、具体化することもできる。
この場合、前記下向きの歯５１を前記ドラム４の上向きの歯４６から切り離して前記ドラム４が自由に回転できる解除状態は、ダイヤル５を上に持ち上げている間に限られ、ダイヤル５から手を離せば直ちにロック状態に戻されることになる。
【００４９】
本発明の巻取装置は、図３に示すように靴Ｓの甲部に配置した靴紐巻取装置１に限定されるものではなく、靴Ｓの異なる部分を締め付ける靴紐２を締め付けるための靴紐巻取装置に具体化して実施してもよい。
例えば、他の実施形態（実施形態２：図１１〜図１７）として、図１３に示すように靴Ｓの踵部分に配置したベース部材３ａからなる靴紐巻取装置１０２として具体化してもよい。
本明細書中における各実施形態において、前記実施形態１と同一の構成については説明を省略する。
【００５０】
この実施形態２の靴紐巻取装置１０２は、上記実施形態１の靴紐巻取装置１におけるベース部材３のフランジ３１の形状を踵部分の形状に合うように湾曲させるとともに、全体形状を花びら状に変更したフランジ３１ａを採用している。
さらに、この靴紐巻取装置１０２は、上記実施形態１の靴紐巻取装置１における環状壁３２、回転軸３４、爪３６及びバネ部３６ａを、ベース部材３ａとは別部材のドラム収納部３３ａとして構成したものである。
【００５１】
前記ドラム収納部３３ａは、底部に係合孔３９ａを有しており、ベース部材３ａに形成した係合突起３９ｂが前記係合孔３９ａと係合するようになっている。
そこで、このドラム収納部３３ａをベース部材３ａに固定するには、ベース部材３ａに設けたガイド３９ｃをドラム収納部３３ａの下端部に嵌め込むように対応させ、ドラム収納部３３ａを回転させることで、前記ベース部材３ａに対して固定可能となっている。
【００５２】
この固定状態において、前記係合孔３９ａと前記係合突起３９ｂが係合するため、ドラム収納部３３ａが逆回転することが防止され、ベース部材３ａから外れることをロックできる。
ドラム収納部３３ａをベース部材３ａから外したい場合には、ドラム収納部３３ａの上側から前記係合突起３９ｂを下方へ押さえれば、係合孔３９ａとの係合が解除され、ドラム収納部３３ａが逆回転可能となり、ドラム収納部３３ａをベース部材３ａから取り外すことができる。
【００５３】
従って、この靴紐巻取装置１０２は、ドラム収納部３３ａの爪３６、バネ部３６ａ又は回転軸３４などに不具合が生じた場合に、ドラム収納部３３ａをベース部材３ａから取り外して交換することで、靴Ｓを壊すこと無く簡単に不具合を解消できる。
【００５４】
本発明の巻取装置は、他の実施形態（実施形態３：図１８）として、前記ドラム収納部３３を構成する環状壁３２の爪３６の付近に切り欠きを設けていない靴紐巻取装置１０３として具体化してもよい。
この実施形態３においては、前記実施形態１とは異なり、バネ部３６ａが無いため、爪３６が環状ギヤ５３の山部を乗り越え、ダイヤル５が一方向にのみ回転できるようにするためには、以下のような構成の１つ又は複数を適宜採用するとよい。
【００５５】
１．環状壁３２の厚み又は材質を変更することで、爪３６付近の弾性を高める。
２．ダイヤル５の厚み又は材質を変更することで、環状ギヤ５３の弾性を高める。
３．爪３６自体又は環状ギヤ５３の山部が弾性変形するものを用いる。
４．爪３６の数を増やして個々の爪３６に加わる力を弱める。
【００５６】
本発明の巻取装置は、他の実施形態（実施形態４：図１９及び図２０）として、上記の実施形態３と同様にドラム収納部３３を構成する環状壁３２の爪３６の付近に切り欠きを設けていない靴紐巻取装置１０４として具体化してもよい。
この靴紐巻取装置１０４においては、上記の実施形態３とは異なり爪３６を環状壁３２の内側に突出するように形成している。
【００５７】
このため、前記靴紐巻取装置１０４においては、上記各実施形態において用いた円筒状に配置された環状ギヤ５３を備えたダイヤル５に代えて、円柱状に配置された環状ギヤ５３ａを備えたダイヤル５ａを用いている。
即ち、このダイヤル５ａにおいては、その下向きの歯５１の外側において、当該ダイヤル５ａの回転軸方向に延びる複数個の山部と谷部とからなる環状ギヤ５３ａを備えており、この環状ギヤ５３ａが内側に向けて形成された爪３６と係合してダイヤル５ａの回転方向を一方向に規制するようになっている。
【００５８】
本発明の巻取装置は、他の実施形態（実施形態５：図２１）として、前記実施形態４の靴紐巻取装置１０４において、ドラム収納部３３を構成する環状壁３２の爪３６の付近に切り欠きを設けた靴紐巻取装置１０５として具体化してもよい。
即ち、この実施形態５の靴紐巻取装置１０５においては、ドラム収納部３３の内側に向けて突出する爪３６をバネ部３６ａの先端部に設けており、前記ダイヤル５ａに円柱状に配置した環状ギヤ５３ａの山部が爪３６と係合することで、ダイヤル５ａの回転方向を一方向に規制するようになっている。
【００５９】
本発明の巻取装置は、他の実施形態（実施形態６：図２２）として、前記実施形態１の靴紐巻取装置１における爪３６及びバネ部３６ａの形成位置をドラム収納部３３の下部に変更した靴紐巻取装置１０６として具体化してもよい。
この実施形態においては、バネ部３６ａの周囲に環状壁３２が存在するため、バネ部３６ａを保護することができ、ベース部材３の取扱性が向上する。
また、巻取装置の厚みを低減して装置を小型化することも可能となる。
なお、この実施形態においては爪３６をドラム収納部３３の外側に向けて突出するように形成したが、爪３６の向きをドラム収納部３３の内側（中心方向）に向けて突出するように変更した靴紐巻取装置として具体化して実施してもよい。
【００６０】
本発明の巻取装置は、他の実施形態（実施形態７：図２３）として、前記ドラム収納部３３の前記環状壁３２の外側にてベース部材３から円筒状に突設した環状部３２ａに外側に向けて突出するように形成した爪３６を備えた靴紐巻取装置１０７として具体化してもよい。
即ち、この靴紐巻取装置１０７においては、前記環状壁３２にバネ部３６ａと爪３６を形成しないで、当該環状壁３２と同一中心円上に形成した環状部３２ａを切り欠くことで形成したバネ部３６ａの先端部に爪３６を形成している。
【００６１】
そして、前記環状部３２ａの上に形成された爪３６は、外側に向けて突出するように形成されており、ダイヤル５に形成した環状ギヤ５３の山部と係合することで、ダイヤル５の回転方向を一方向に規制するようになっている。このため、ダイヤル５の外径は、他の実施形態のものより大きくする必要がある。
なお、この実施形態においては爪３６を外側に向けて突出するように形成したが、爪３６の向きをドラム収納部３３側（中心方向）に向けて突出するように変更した靴紐巻取装置として具体化して実施してもよい。
【００６２】
本発明の巻取装置は、他の実施形態（実施形態８：図２４）として、前記ドラム収納部３３の前記環状壁３２の外側に、当該環状壁３２から突設するように装着したバネ部３６ａに形成した爪３６を備えた靴紐巻取装置１０８として具体化してもよい。
即ち、この靴紐巻取装置１０８においては、前記環状壁３２に対して別部材として形成したバネ部３６ａと爪３６を取り付け、当該環状壁３２と同一中心円上に形成した３個のバネ部３６ａの先端部に爪３６を形成している。
そして、当該バネ部３６ａに形成された爪３６は、外側に向けて突出するように形成されており、ダイヤル５に形成した環状ギヤ５３の山部と係合することで、ダイヤル５の回転方向を一方向に規制するようになっている。
なお、この実施形態においては爪３６をドラム収納部３３の外側に向けて突出するように形成したが、爪３６の向きをドラム収納部３３側（中心方向）に向けて突出するように変更した靴紐巻取装置として具体化して実施してもよい。
【００６３】
本発明の巻取装置は、他の実施形態（実施形態９：図２５）として、前記ドラム収納部３３の前記環状壁３２の外側にてベース部材３から突設したバネ部３６ａに形成した爪３６を備えた靴紐巻取装置１０９として具体化してもよい。
即ち、この靴紐巻取装置１０９においては、前記環状壁３２にバネ部３６ａと爪３６を形成しないで、当該環状壁３２と同一中心円上から突出するように形成した３個のバネ部３６ａの先端部に爪３６を形成している。
そして、当該バネ部３６ａに形成された爪３６は、外側に向けて突出するように形成されており、ダイヤル５に形成した環状ギヤ５３の山部と係合することで、ダイヤル５の回転方向を一方向に規制するようになっている。
なお、この実施形態においては爪３６をドラム収納部３３の外側に向けて突出するように形成したが、爪３６の向きをドラム収納部３３側（中心方向）に向けて突出するように変更した靴紐巻取装置として具体化して実施してもよい。
【００６４】
本発明の巻取装置は、他の実施形態（実施形態１０：図２６及び図２７）として、前記ドラム収納部３３の前記環状壁３２の上に、当該環状壁３２とは別体のリング状に形成した環状部３２ｂを固定し、当該環状部３２ｂを部分的に切り欠くことで形成したバネ部３６ａの先端部に爪３６を備えた靴紐巻取装置１１０として具体化してもよい。
即ち、この靴紐巻取装置１１０においては、前記環状壁３２に対して別部材として形成したバネ部３６ａと爪３６を取り付け、当該環状壁３２と同一中心円上に形成した３個のバネ部３６ａの先端部に爪３６を形成している。
そして、当該バネ部３６ａに形成された爪３６は、外側に向けて突出するように形成されており、ダイヤル５に形成した環状ギヤ５３の山部と係合することで、ダイヤル５の回転方向を一方向に規制するようになっている。
【００６５】
本発明の巻取装置は、他の実施形態（実施形態１１：図２８及び図２９）として、前記ドラム収納部３３の前記環状壁３２の上に、当該環状壁３２とは別体のリング状に形成した環状部３２ｃを固定し、当該環状部３２ｃを部分的に切り欠くことで形成したバネ部３６ａの先端部に爪３６を備えた靴紐巻取装置１１１として具体化してもよい。
即ち、この靴紐巻取装置１１１においては、前記環状壁３２に対して別部材として形成したバネ部３６ａと爪３６を取り付け、当該環状壁３２と同一中心円上に形成した３個のバネ部３６ａの先端部に爪３６を形成している。
そして、当該バネ部３６ａに形成された爪３６は、内側に向けて突出するように形成されており、ダイヤル５ａに形成した円柱状の環状ギヤ５３ａの山部と係合することで、ダイヤル５ａの回転方向を一方向に規制するようになっている。
【００６６】
上記実施形態１０の靴紐巻取装置１１０及び実施形態１１の靴紐巻取装置１１１のように、前記環状壁３２に対して別部材として形成した環状部３２ｂ又は環状部３２ｃを用いる場合には、バネ部３６ａに不具合が生じた場合にこの環状部３２ｂ又は環状部３２ｃを交換することで、不具合を解消することができる。
【００６７】
さらに、本発明は、靴紐以外の紐を巻き取るための巻取装置として具体化して実施したり、その趣旨を逸脱しない範囲で巻取装置の各部の材質、形状、寸法、角度、設置位置、大きさ、数などを適宜変更して実施してもよい。
【産業上の利用可能性】
【００６８】
本発明は、小型・軽量であって、耐久性、操作性及びメンテナンス性に優れた巻取装置として産業上好適に利用可能である。
【符号の説明】
【００６９】
１      靴紐巻取装置
２      靴紐
３      ベース部材
３ａ    ベース部材（実施形態２）
３１    フランジ
３１ａ  フランジ
３２    環状壁
３２ａ  環状部（実施形態７）
３２ｂ  環状部（実施形態１０）
３２ｃ  環状部（実施形態１１）
３３    ドラム収納部
３３ａ  ドラム収納部（実施形態２）
３４    回転軸
３５    靴紐引出口
３６    爪
３６ａ  バネ部
３９ａ  係合孔
３９ｂ  係合突起
３９ｃ  ガイド
４      ドラム
４１    靴紐巻取部
４２    回転軸部
４３    凹部
４４    係止突起
４５    ワイヤー挿通孔
４６    上向きの歯
５      ダイヤル
５ａ    ダイヤル（実施形態４，５，１１）
５１    下向きの歯
５２    軸穴
５３    環状ギヤ
５３ａ  環状ギヤ（実施形態４，５，１１）
５４    バネ収納部
５５    係止部
６      軸部材
６１    軸受部
６２    フランジ部
６３    ネジ挿入孔
７      バネ部材
７１    軸部（一端部）
７２    他端部
８      ネジ
９      カバー部材
９ａ    透孔
１０２    靴紐巻取装置（実施形態２）
１０３    靴紐巻取装置（実施形態３）
１０４    靴紐巻取装置（実施形態４）
１０５    靴紐巻取装置（実施形態５）
１０６    靴紐巻取装置（実施形態６）
１０７    靴紐巻取装置（実施形態７）
１０８    靴紐巻取装置（実施形態８）
１０９    靴紐巻取装置（実施形態９）
１１０    靴紐巻取装置（実施形態１０）
１１１    靴紐巻取装置（実施形態１１）
Ｓ    靴
【図１】
2018023614.tif 000003
【図２】
2018023614.tif 000004
【図３】
2018023614.tif 000005
【図４】
2018023614.tif 000006
【図５】
2018023614.tif 000007
【図６】
2018023614.tif 000008
【図７】
2018023614.tif 000009
【図８】
2018023614.tif 000010
【図９】
2018023614.tif 000011
【図１０】
2018023614.tif 000012
【図１１】
2018023614.tif 000013
【図１２】
2018023614.tif 000014
【図１３】
2018023614.tif 000015
【図１４】
2018023614.tif 000016
【図１５】
2018023614.tif 000017
【図１６】
2018023614.tif 000018
【図１７】
2018023614.tif 000019
【図１８】
2018023614.tif 000020
【図１９】
2018023614.tif 000021
【図２０】
2018023614.tif 000022
【図２１】
2018023614.tif 000023
【図２２】
2018023614.tif 000024
【図２３】
2018023614.tif 000025
【図２４】
2018023614.tif 000026
【図２５】
2018023614.tif 000027
【図２６】
2018023614.tif 000028
【図２７】
2018023614.tif 000029
【図２８】
2018023614.tif 000030
【図２９】
2018023614.tif 000031